(57)【特許請求の範囲】
【請求項１】
器具本体の両端に設けたランプソケット間に直管型の蛍光ランプを架設して取り付け、ランプソケットの回りに環状の支持溝を設け、蛍光ランプの周方向の一部を覆う可動反射板を可動反射板の両端を両端の支持溝に夫々挿入することにより両端の支持溝間に架設すると共に可動反射板を蛍光ランプの回りに回動自在にした照明器具であって、器具本体に上下に摺動自在で且つ下方にばね付勢された固定ピンを設け、該固定ピンの下端を可動反射板に弾接することで、可動反射板が常時蛍光ランプに対して上方に位置するように固定し、振動等で前記固定が外れて可動反射板が自重で蛍光ランプの下方に回動して蛍光ランプを受ける位置に位置するようにして成ることを特徴とする照明器具。
【発明の詳細な説明】
【０００１】
【発明の属する技術分野】
本発明は、器具本体の両端に設けたランプソケット間に直管型の蛍光ランプを架設して取り付けた照明器具に関し、詳しくは蛍光ランプの落下防止の構造に関するものである。
【０００２】
【従来の技術】
一般に直管型の蛍光ランプを用いた照明器具では器具本体の両端に設けたランプソケット間に蛍光ランプを架設し、蛍光ランプの両端のランプピンをランプソケットに挿入してランプソケットに接続してある。そしてプランジャー式で蛍光ランプを保持する場合、両端のランプソケットに設けたプランジャーのばね性にて両端から弾発して蛍光ランプを保持していた。このような構造で蛍光ランプを保持した場合、蛍光ランプの保持力が弱く、地震等の強い振動が加わった場合、蛍光ランプが落下する虞れがあった。またランプソケット間の間隔及びランプ長のばらつきによりランプピンのランプソケットのプランジャー部への掛かり代が少ない場合には特に蛍光ランプの落下の危険性が増すという問題がある。しかもこの場合には充電部であるランプピンが露出する可能性もある。
【０００３】
従来、この対策として図６や図７に示すような構造が採用されていた。図６に示すものでは、器具本体１の両端に設けた支持台２に夫々ランプソケット３を装着し、両端の支持台２を相対向する方向に傾けて倒してある（蛍光ランプの挿入に支障がない程度に倒してあり、蛍光ランプの装着後には支持台２が垂直になる。）。図７に示すものでは、図７（ｂ）に示すようなランプ落下防止具４を図７（ａ）のように器具本体１の長手方向の中央に装着してあり、ランプ落下防止具４で蛍光ランプ５の落下を防止するようにしてある。このランプ落下防止具４は樹脂製のものが多く、若干のばね性を有している。
【０００４】
上記のような対策を施すことにより、蛍光ランプ５の落下をある程度防止することができるが、蛍光ランプ５の落下防止対策としては確実とは言えず、また蛍光ランプ５の装着の作業性もよくないという問題がある。
またランプソケット３として上記のようなプランジャー式の保持方式のものに代えて回転式で蛍光ランプ５を保持するものがある。これば図８に示すようにランプソケット３に略Ｙ字状のピン挿入溝６を設けてあり、蛍光ランプ５を取り付けるとき蛍光ランプ５を周方向に回転することによりランプピン７を挿入溝６に沿って挿入して蛍光ランプ５を固定するようになっている。かかる構造では特に蛍光ランプ５の回転が不完全な状態では蛍光ランプ５の落下の危険性が高いという問題がある。またランプソケット３間の間隔及び蛍光ランプ５のランプ長のばらつきによりランプピン７の掛かり代が少ない場合には特に蛍光ランプ５の落下の危険性が増すという問題がある。
【０００５】
またランプソケット３として図９に示すように回転部８が９０°回ることにより蛍光ランプ５をロックする構造にしたものもある。この場合、蛍光ランプ５を装着した状態で外れないようにロックすることができるが、この構造の場合でもランプソケット３間の間隔及び蛍光ランプ５のランプ長のばらつきがあってランプピン７の掛かり代が少ないときには地震等の振動で蛍光ランプ５が落下する危険性がある。
【０００６】
【発明が解決しようとする課題】
上記のように従来例のいずれの構造でも地震等の振動に対して蛍光ランプの落下を防止する点では不確実であり、地震等の災害時に危険性のあるものであった。
本発明は叙述の点に鑑みてなされたものであって、地震等の災害でも蛍光ランプが落下する危険性をなくすことを課題とする。
【０００７】
【課題を解決するための手段】
上記課題を解決するため本発明照明器具は、器具本体１の両端に設けたランプソケット３間に直管型の蛍光ランプ５を架設して取り付け、ランプソケット３の回りに環状の支持溝９を設け、蛍光ランプ５の周方向の一部を覆う可動反射板１０を可動反射板１０の両端を両端の支持溝９に夫々挿入することにより両端の支持溝９間に架設すると共に可動反射板１０を蛍光ランプ５の回りに回動自在にした照明器具であって、器具本体１に上下に摺動自在で且つ下方にばね付勢された固定ピン１７を設け、該固定ピン１７の下端を可動反射板１０に弾接することで、可動反射板１０が常時蛍光ランプ５に対して上方に位置するように固定し、振動等で前記固定が外れて可動反射板１０が自重で蛍光ランプ５の下方に回動して蛍光ランプ５を受ける位置に位置するようにして成ることを特徴とする。通常は可動反射板１０が蛍光ランプ５の上方に位置して固定されていて蛍光ランプ５の光を下方に反射することができ、地震等の振動が発生したときには可動反射板１０の固定が外れて可動反射板１０が自重にて下方に回動して可動反射板１０が蛍光ランプ５を受ける位置に位置し、地震等の振動で蛍光ランプ５がランプソケット３から外れても蛍光ランプ５を可動反射板１０に受けて蛍光ランプ５が落下するのを防止できる。
【００１０】
【発明の実施の形態】
図１、図２に示すように器具本体１は下方を開口せる箱状にしてあり、内面を反射面１１にしてある。この器具本体１の両端のエンドプレート１２の内面側にはランプソケット３を装着してあり、両端のランプソケット３間に直管型の蛍光ランプ５を架設して蛍光ランプ５のランプピンをランプソケット３に接続してある。本実施の形態の場合、両端エンドプレート１２に一対のランプソケット３を装着してあり、器具本体１内に一対の蛍光ランプ５を平行に架設してある。また器具本体１内には一対の蛍光ランプ５間に位置するように中反射板１６を装着してある。この器具本体１は天井面に組み込まれるものであって、器具本体１の下端の外方に突出する載置縁１３に天井板１４の端縁を載置してある。
【００１１】
エンドプレート１２の内面のランプソケット３の回りにはランプソケット３を囲むように円環状のレール１５を装着してあり、このレール１５にはレール１５の全周に亙るように円環状に支持溝９を設けてあり、支持溝９を内面側に開口してある。可動反射板１０は両端のエンドプレート１２間に略亙る長さで断面円弧状に形成されており、両端のレール１５間に架設してある。可動反射板１０の両端は夫々支持溝９に挿入してあり、可動反射板１０の両端が支持溝９に対して周方向に摺動することで可動反射板１０を蛍光ランプ５の回りで回動自在にしてある。器具本体１の上面には蛍光ランプ５の上方に対応する位置で上下に摺動自在に固定ピン１７を装着してある。この固定ピン１７は例えば蛍光ランプ５の長手方向の中央に対応する位置に設けてある。固定ピン１７の上部は器具本体１の上面上のばね収納筺体１８に摺動自在に挿通してあり、固定ピン１７の回りに巻回したコイルばねのような弾発ばね１９をばね収納筺体１８内に内装してある。弾発ばね１９の上端はばね収納筺体１８の上の内面に当接してあり、弾発ばね１９の下端は固定ピン１７の鍔部２０に当接してあり、固定ピン１７が下方に突出するように弾発ばね１９にて付勢してある。上記可動反射板１０は通常は蛍光ランプ５の上方に位置させてあり、固定ピン１７の下端を図２に示すように可動反射板１０の幅方向の中心に当接してあり、固定ピン１７の下端の可動反射板１０への弾接にて可動反射板１０を固定してある。
【００１２】
上記のように照明器具が構成され、通常は可動反射板１０が図２に示すように蛍光ランプ５の上方に位置させられ、固定ピン１７の弾発にて可動反射板１０が固定されている。この状態で蛍光ランプ５の光が可動反射板１０で効果的に反射されて照明される。このとき可動反射板１０の反射面を鏡面の反射面にしてあると、一層反射の効率を向上できる。この状態で地震等の振動が生じたときは、振動にて固定ピン１７による可動反射板１０の固定が外れ、可動反射板１０が自重で下方に回動して図３に示すように蛍光ランプ５の下方に位置する。このためたとえ蛍光ランプ５がランプソケット３から外れても蛍光ランプ５が可動反射板１０で受けられて蛍光ランプ５が下方に落下することがなくなる。
【００１３】
図４は同上の照明器具の他の使用状態を示す。可動反射板１０を蛍光ランプ５の上方に位置させて固定するとき、可動反射板１０を蛍光ランプ５の真上に対して一方に偏らせた斜め上方に配置し、固定ピン１７による弾発にて可動反射板１０を固定してある。この場合、可動反射板１０の角度を変えて配光制御することができ、また可動反射板１０に中反射板１６の機能の一部を兼用させることができる。また可動反射板１０が真上に対して一方側に偏った状態で固定ピン１７の弾発にて固定されているため、低振動でも固定ピン１７の固定が外れて可動反射板１０がスムーズに蛍光ランプ５の下方に移動する。
【００１４】
また図５は同上の他の例を示すものである。この場合、可動反射板１０の幅方向の一側がわに厚肉部２１を設けてあり、可動反射板１０の重心を可動反射板１０の幅方向の中心に対して一側がわにずらせてある。このため図５に示すように可動反射板１０を蛍光ランプ５の真上に取り付けても、重心のある方に回動しやすくなり、低振動でも固定ピン１７の固定が外れて可動反射板１０がスムーズに蛍光ランプ５の下方に移動する。
【００１５】
また上記例では可動反射板１０を通常上方に位置させて固定し、地震等の振動で固定が外れて可動反射板１０が下方に移動して可動反射板１０が蛍光ランプ５を受ける位置に位置させる使用の形態について述べたが、可動反射板１０を常時蛍光ランプ５の下方に位置させておき、蛍光ランプ５の光を可動反射板１０にて上方に反射して間接照明し、地震等の振動でもこの状態の可動反射板１０で蛍光ランプ５を受けるようにしてもよい。
【００１６】
【発明の効果】
本発明は叙述のようにランプソケットの回りに環状の支持溝を設け、蛍光ランプの周方向の一部を覆う可動反射板を可動反射板の両端を両端の支持溝に夫々挿入することにより両端の支持溝間に架設すると共に可動反射板を蛍光ランプの回りに回動自在にしているので、可動反射板を蛍光ランプの回りで回動することにより可動反射板を蛍光ランプ回りの任意の位置に位置させることができるものであって、可動反射板を蛍光ランプの上方に位置させることで蛍光ランプの光を下方に反射でき、可動反射板を蛍光ランプの下方に位置させることで蛍光ランプがランプソケットから外れても蛍光ランプを可動反射板で受けて蛍光ランプが下方に落下するのを防止できて地震等の振動で蛍光ランプが下方に落下するのを確実に防止できるものである。
【００１７】
また、可動反射板が常時蛍光ランプに対して上方に位置するように固定し、振動等で上記固定が外れて可動反射板が自重で蛍光ランプの下方に回動して蛍光ランプを受ける位置に位置するようにしたので、通常は可動反射板が蛍光ランプの上方に位置して固定されていて蛍光ランプの光を下方に反射することができ、地震等の振動が発生したときには可動反射板の固定が外れて可動反射板が自重にて下方に回動して可動反射板が蛍光ランプを受ける位置に位置し、地震等の振動で蛍光ランプがランプソケットから外れても蛍光ランプを可動反射板に受けて蛍光ランプが落下する危険性を防止できるものであり、可動反射板に通常は反射板の機能を持たせながら、地震等の災害時には蛍光ランプが落下する危険性を確実に防止できるものである。
【図面の簡単な説明】
【図１】本発明の一実施の形態の正面から見た一部省略断面図である。
【図２】図１の側面から見た拡大断面図である。
【図３】同上の地震等の振動で可動反射板が蛍光ランプを受ける位置に移動した状態の側面から見た断面図である。
【図４】同上の他の使用の形態の側面から見た断面図である。
【図５】同上の他の実施の形態の側面から見た一部省略断面図である。
【図６】一従来例を示す正面図である。
【図７】他の従来例を示し、（ａ）は正面図、（ｂ）はランプ落下防止具の斜視図である。
【図８】さらに他の従来例を示し、（ａ）はランプソケット部の一部切欠側面図、（ｂ）はランプソケット部の一部切欠正面図である。
【図９】さらに他の従来例のランプソケットの側面図である。
【符号の説明】
１  器具本体
３  ランプソケット
５  蛍光ランプ
９  支持溝
１０  可動反射板
【図１】
0003779754.tif 000002
【図２】
0003779754.tif 000003
【図３】
0003779754.tif 000004
【図４】
0003779754.tif 000005
【図５】
0003779754.tif 000006
【図６】
0003779754.tif 000007
【図７】
0003779754.tif 000008
【図８】
0003779754.tif 000009
【図９】
0003779754.tif 000010